(57)【要約】【課題】構造上の強度を保持しつつ低背化が可能であり、しかも加圧部材のロック解除が可能な扁平導体用コネクタ及びコネクタ取付端子を提供する。を提供する。【解決手段】扁平導体用コネクタは、フレクシブル基板Ｆを差し込むためのハウジング１と、複数の接触端子２と、開閉自在な加圧部材３と、一対のコネクタ取付端子４と、ロック機構５とを備える。ロック機構５は、爪部５０を係止片部５５に係止させて、加圧部材３を閉状態にロックする構造である。そして、爪部５０は、接触端子２の接触突起部２２と対応する箇所に設けられ、閉じた加圧部材３に余計なモーメントが生じないように設計されている。好ましくは、係止片部５５を突出させて、ロック機構５のロックを解除可能な構造とする。【選択図】　　　　図１
2004071313.tif 000002
【特許請求の範囲】
【請求項１】
前面に開口した扁平導体挿入用の挿入口及び上方に開口した加圧部材組付用の開口部を有するハウジングと、
上記ハウジングの幅方向に沿ってハウジング内に並設され、ハウジングの下壁に沿って上記挿入口側に延出し且つ上記開口部側を向く接触突起部を有した複数の接触端子と、
後端部が上記ハウジングに軸支された状態で上記開口部内に開閉自在に配され、その閉時に上記挿入口からハウジング内に挿入された扁平導体を押圧して、扁平導体を上記接触端子の接触突起部に圧接する蓋状の加圧部材と、
起立部が上記ハウジングの側壁に装着された状態で、固定用のタブ部が当該側壁の下側から外部に略水平に延出した金属製のコネクタ取付端子と、
上記加圧部材を閉状態にロックするためのロック機構と、
を具備する扁平導体用コネクタであって、
上記ロック機構は、
上記加圧部材の側面部であって、上記接触端子の接触突起部に対応する部位に設けられ且つ上記ハウジングの側壁側に突出する爪部と、
上記コネクタ取付端子の起立部の上端部からハウジングの側壁の前面に向かって略水平に延出し、上記加圧部材の閉時に、上記爪部が下方から係止する係止片部と、
を有してなることを特徴とする扁平導体用コネクタ。
【請求項２】
請求項１に記載の扁平導体用コネクタにおいて、
上記ロック機構の係止片部の前端部を、上記ハウジングの側壁の前面から摘み可能に突出させ、当該前端部を用いて係止片部を側壁の幅方向に撓めることで、上記爪部との係止を解除することができるようにした、
ことを特徴とする扁平導体用コネクタ。
【請求項３】
固定用の水平なタブ部と、
上記タブ部の一方端部に立設され、扁平導体用コネクタのハウジングの側壁に装着するための起立部と、
上記起立部の上端部から略水平に延出し、上記起立部を上記ハウジングの側壁に装着した場合に、その前端部が当該側壁の前方面に突出すると共に、上記ハウジングに軸支されて上記ハウジングの上面側開口部を開閉する蓋状の部材の側面部に突設された爪部が係止可能な長尺状の係止片部と、
を具備することを特徴とするコネクタ取付端子。
【発明の詳細な説明】
【０００１】
【発明の属する技術分野】
この発明は、フレクシブルフラットケーブル（ＦＦＣ）やフレクシブルプリント基板（ＦＰＣ）等の扁平導体をプリント基板に接続するための扁平導体用コネクタ及びコネクタ取付端子に関するものである。
【０００２】
【従来の技術】
従来、この種の扁平導体用コネクタとしては、特許第３０２２３３１号の技術がある。
図８は、この従来技術を示す斜視図であり、図９は、その断面図である。　図８及び図９に示すように、この扁平導体用コネクタは、複数の接触端子１１０を収納したハウジング１００に、加圧部材１２０を開閉自在に取り付けた構造になっている。
これにより、フレクシブル基板Ｆを接触端子１１０のアーム部１１１，１１２の間に挿入した後、加圧部材１２０を閉じると、加圧部材１２０側部の係止突起１２１がハウジング１００の係止穴１０１に係合して、加圧部材１２０がロック状態になる。
かかるロック状態においては、図９に示すように、接触端子１１０のアーム部１１１の上方力Ｆ１とアーム部１１２の下方力Ｆ２とによるモーメントを係止突起１２１と係止穴１０１との係合力で抗することで、加圧部材１２０が開くことを阻止している。
【０００３】
【発明が解決しようとする課題】
しかし、上記した従来の扁平導体用コネクタでは、次のような問題がある。
近年の電子機器の小型化及び高密度化に伴い、これらの電子機器に収納される扁平導体用コネクタもその低背化が望まれ、厚さが０．３ｍｍという極薄の扁平導体用コネクタの登場が期待されている。
しかしながら、上記した従来の扁平導体用コネクタでは、加圧部材１２０の基端部分を接触端子１１０のアーム部１１２の下側に差し込んだ構造としているので、低背化に限界があり、０．３ｍｍという厚さの扁平導体用コネクタを実現することは困難である。
また、アーム部１１１による上方力Ｆ１とアーム部１１２とによる下方力Ｆ２とのモーメントによって、加圧部材１２０が開くことを効果的に防止するには、係止突起１２１と係止穴１０１との位置を扁平導体用コネクタの先端部側（図９の左側部）に設定する必要がある。しかしながら、扁平導体用コネクタを極薄にすることに伴うアーム部１１２の極細化はアーム部１１２の強度を弱化させ、アーム部１１２が加圧部材１２０の上方力によって変形し、加圧部材１２０が傾くおそれが非常に高い。
さらに、この扁平導体用コネクタでは、加圧部材１２０のロック解除が困難であるので、フレクシブル基板Ｆの差し換えができず、非常に不便である。
【０００４】
この発明は上述した課題を解決するためになされたもので、構造上の強度を保持しつつ低背化が可能であり、しかも加圧部材のロック解除が可能な扁平導体用コネクタ及びコネクタ取付端子を提供することを目的とするものである。
【０００５】
【課題を解決するための手段】
上記課題を解決するために、請求項１の発明は、前面に開口した扁平導体挿入用の挿入口及び上方に開口した加圧部材組付用の開口部を有するハウジングと、ハウジングの幅方向に沿ってハウジング内に並設され、ハウジングの下壁に沿って挿入口側に延出し且つ開口部側を向く接触突起部を有した複数の接触端子と、後端部がハウジングに軸支された状態で開口部内に開閉自在に配され、その閉時に挿入口からハウジング内に挿入された扁平導体を押圧して、扁平導体を接触端子の接触突起部に圧接する蓋状の加圧部材と、起立部がハウジングの側壁に装着された状態で、固定用のタブ部が当該側壁の下側から外部に略水平に延出した金属製のコネクタ取付端子と、加圧部材を閉状態にロックするためのロック機構と、を具備する扁平導体用コネクタであって、ロック機構は、加圧部材の側面部であって、接触端子の接触突起部に対応する部位に設けられ且つハウジングの側壁側に突出する爪部と、コネクタ取付端子の起立部の上端部からハウジングの側壁の前面に向かって略水平に延出し、加圧部材の閉時に、爪部が下方から係止する係止片部とを有してなる構成とした。
かかる構成により、扁平導体を挿入口からハウジング内に挿入して、加圧部材を閉じると、加圧部材が扁平導体を押圧し、扁平導体が接触端子の接触突起部に圧接される。これと同時にロック機構の爪部が係止片部に下方から係止して、加圧部材がロック状態になる。このとき、爪部が　加圧部材の側面部であって接触端子の接触突起部に対応する部位に設けられているので、扁平導体を介して、接触端子の接触突起部から加圧部材に加わる力が、爪部と係止片部との係止力によって直接受け止められる。
【０００６】
特に、請求項２の発明は、請求項１に記載の扁平導体用コネクタにおいて、ロック機構の係止片部の前端部を、ハウジングの側壁の前面から摘み可能に突出させ、当該前端部を用いて係止片部を側壁の幅方向に撓めることで、爪部との係止を解除することができるようにした構成としてある。
【０００７】
また、請求項３の発明は、固定用の水平なタブ部と、タブ部の一方端部に立設され、扁平導体用コネクタのハウジングの側壁に装着するための起立部と、起立部の上端部から略水平に延出し、起立部をハウジングの側壁に装着した場合に、その前端部が当該側壁の前方面に突出すると共に、ハウジングに軸支されてハウジングの上面側開口部を開閉する蓋状の部材の側面部に突設された爪部が係止可能な長尺状の係止片部とを具備する構成とした。
【０００８】
【発明の実施の形態】
以下、この発明の実施形態について図面を参照して説明する。
図１は、この発明の一実施形態に係る扁平導体用コネクタを示す斜視図であり、図２は、加圧部材を閉じた状態の扁平導体用コネクタを示す斜視図であり、図３は、図２の矢視Ａ−Ａ断面図である。
図１に示すように、この扁平導体用コネクタはハウジング１と複数の接触端子２と蓋状の加圧部材３と一対のコネクタ取付端子４とロック機構５とを具備している。
【０００９】
ハウジング１は、図３に示すように、前面（図の左側面）に開口した挿入口１０と上方に開口した開口部１１とを有している。
挿入口１０は、後述する扁平導体としてのフレクシブル基板Ｆを挿入するための開口であり、その幅はフレクシブル基板Ｆの幅とほぼ同一に設定されている。
開口部１１は、加圧部材３を組み付けるための開口であり、ハウジング１の上壁１２の前方に位置する。
【００１０】
複数の接触端子２は、上記の如きハウジング１内に収納されている。
具体的には、複数の接触端子２は、長い下アーム部２０と短い上アーム部２１とを有している。これらの接触端子２は、図１及び図３に示すように、下アーム部２０をハウジング１の下壁１３にハウジング１の幅方向に沿って形成された複数の溝１４ａに差し込み、上アーム部２１を上壁１２に形成された複数の溝１４ｂに差し込んだ状態で、ハウジング１内に並設されている。
各接触端子２の下アーム部２０は、ハウジング１の下壁１３に沿って挿入口１０側に延出し、その先端部が開口部１１の略中央部に位置している。そして、このような下アーム部２０の先端部には、開口部１１側を向く接触突起部２２が突設されている。
【００１１】
加圧部材３は、上記の如き接触端子２の接触突起部２２の直上に組み付けられている。
具体的には、加圧部材３は、その表面が上壁１２の表面と面一になるように、開口部１１内に嵌め込まれている。そして、図１及び図２に示すように、加圧部材３の後端部がハウジング１の側壁１５に軸支されている。詳しくは、加圧部材３の側面３０の後端に軸３１が突設され、この軸３１が側壁１５の軸受孔１６に回動自在に嵌め込まれている。
これにより、加圧部材３は、軸３１を中心にして開閉し、閉時には、図３に示すように、開口部１１内に納まり、後端の係止縁部３０ａが接触端子２の上アーム部２１に係止して、水平状態を維持する。
【００１２】
図１において、コネクタ取付端子４は、図示しない基板等に固定するためのタブ部４０をハウジング１の側壁１５の下側から水平に延出させた状態で、ハウジング１の側壁１５に装着されている。
このコネクタ取付端子４は、ロック機構５の一部を構成するので、その詳細は後述する。
【００１３】
ロック機構５は、上記加圧部材３を閉状態にロックするための機構であり、加圧部材３に形成された爪部５０とコネクタ取付端子４に形成された係止片部５５とよりなっている。
爪部５０は、その爪先を側壁１５側に向けた状態で、加圧部材３の側面３０に形成された張出部５１の下部に突設されている。
図４は、爪部５０の配設位置と接触端子２の下アーム部２０に突設された接触突起部２２の形成位置との関係を示す断面図である。
図４において、破線で示す部材が爪部５０である。図４に示すように、爪部５０は、接触突起部２２に対応する部位に形成されている。具体的には、加圧部材３を閉じた状態において、爪部５０の中心Ｐ１が接触突起部２２の頂点Ｐ２の近傍に位置するように、爪部５０の配設位置が設定されている。
一方、係止片部５５は、図１に示すコネクタ取付端子４に形成されている。
図５は、コネクタ取付端子４を示す斜視図である。
コネクタ取付端子４は、金属製の板体を打ち抜き且つ折り曲げて形成したもので、水平なタブ部４０と垂直な起立部４１とを有している。
係止片部５５は、この起立部４１の上端部に形成されている。
具体的には、起立部４１の上端部から側壁１５の前面１５ａ側（図１参照）に向かって水平に延出させた長尺片である。そして、この長尺片の基部には、タブ部４０と逆方向を向く折り曲げ部５６が設けられている。これにより、長尺片の軸線Ｌ１が起立部４１の軸線Ｌ２から横方向にずれ、上記爪部５０が係止可能になっている。
また、この係止片部５５の前端部５５ａは、前方に張り出しており、この前端部５５ａを摘んで、矢印で示すように、係止片部５５を横方向に撓めることができるようになっている。
なお、図５に示すコネクタ取付端子４は、図１に示す扁平導体用コネクタの右側の側壁１５に装着するためのもので、左側の側壁１５に装着するためのコネクタ取付端子４は、軸線Ｌ１に対して線対称の形状に形成されている。
図６は、コネクタ取付端子４の装着状態を示す平面図である。
図６に示すように、溝１５ｂが側壁１５内に形成され、コネクタ取付端子４の起立部４１がこの溝１５ｂ内に圧入されている。かかる状態で、係止片部５５の前端部５５ａは側壁１５の前面１５ａから外部に突出しており、この突出している前端部５５ａを用いて、矢印で示すように、係止片部５５を側壁１５の幅方向に撓めることができる。
【００１４】
次に、この実施形態の扁平導体用コネクタの使用例について説明する。
まず、図１に示すように、加圧部材３を開いた状態で、フレクシブル基板Ｆを挿入口１０からハウジング１内に挿入した後、加圧部材３を閉じると、図４に示すように、加圧部材３がフレクシブル基板Ｆを押圧し、フレクシブル基板Ｆが接触端子２の下アーム部２０に圧接する。具体的には、下アーム部２０の接触突起部２２が、フレクシブル基板Ｆの下面に設けられている図示しない端子に圧接し、下アーム部２０を弾発力に抗して下方に撓める。
このように、加圧部材３を閉じると、上記ロック機構５が機能して、加圧部材３が閉状態にロックされる。
図７は、ロック機構５のロック動作を説明するための概略正面図であり、図７の（ａ）は、加圧部材３を開いている状態を示し、図７の（ｂ）は、加圧部材３を閉じていく途中の状態を示し、図７の（ｃ）は、加圧部材３を閉じた状態を示す。
図７の（ａ）に示す加圧部材３の開状態から、加圧部材３を閉じていくと、加圧部材３の側面３０に設けられている爪部５０がコネクタ取付端子４の係止片部５５の側面に圧接する。すると、係止片部５５は爪部５０によって押圧され、図７の（ｂ）に示すように、係止片部５５が起立部４１側に撓む。そして、加圧部材３を完全に閉じると、図７の（ｃ）に示すように、爪部５０が係止片部５５から外れ、係止片部５５が弾発的に復旧して、爪部５０が係止片部５５の下側に係止する。この結果、加圧部材３が閉状態にロックされる。
【００１５】
かかるロック状態においては、図４で示したように、爪部５０の中心Ｐ１が接触突起部２２の頂点Ｐ２の近傍に位置するので、爪部５０と係止片部５５との係止力が、下アーム部２０による上方力Ｆ３に対して直接抗する。この結果、加圧部材３を回転させるモーメントはほとんど発生しないので、加圧部材３の力が、係止縁部３０ａに係止している接触端子２の上アーム部２１に加わることはほとんどない。
このように、この実施形態の扁平導体用コネクタは、閉状態の加圧部材３に対してモーメントがほとんど生じない構造であるので、加圧部材３の水平状態を維持する接触端子２の上アーム部２１を極細化した場合においても、上アーム部２１が加圧部材３によって変形されることはない。この結果、構造上の強度を保持しつつ、扁平導体用コネクタを例えば０．３ｍｍという極薄の形状に低背化することが可能となった。
【００１６】
ところで、ハウジング１に差し込んでいるフレクシブル基板Ｆを他のフレクシブル基板に差し換える場合には、係止片部５５の前端部５５ａを摘んで、図７の（ｃ）に示す矢印方向に係止片部５５を撓める。すると、爪部５０と係止片部５５との係止状態が解除され、加圧部材３が、接触端子２の下アーム部２０の弾発力によって僅かに開き、加圧部材３のロック状態が解除される。かかる状態で、加圧部材３を大きく開いた後、フレクシブル基板Ｆを他のフレクシブル基板と自由に交換することができる。
【００１７】
【発明の効果】
以上詳しく説明したように、この発明によれば、接触端子の接触突起部から加圧部材に加わる力を、ロック機構の爪部と係止片部との係止力によって直接受け止める構成であるので、閉じた加圧部材加わるモーメントを考慮することなく、低背化を図ることができ、この結果、構造上の強度を保持した極薄型の扁平導体用コネクタを実現することができるという優れた効果がある。
特に、ロック機構の係止片部の前端部を用いて係止片部を側壁の幅方向に撓めて、爪部との係止を解除することができるよう構成することで、扁平導体の差し換えを自由に行うことができ、非常に便利である。
【図面の簡単な説明】
【図１】この発明の一実施形態に係る扁平導体用コネクタを示す斜視図である。
【図２】加圧部材を閉じた状態の扁平導体用コネクタを示す斜視図である。
【図３】図２の矢視Ａ−Ａ断面図である。
【図４】爪部の配設位置と接触端子の下アーム部に突設された接触突起部の形成位置との関係を示す断面図である。
【図５】コネクタ取付端子を示す斜視図である。
【図６】コネクタ取付端子の装着状態を示す平面図である。
【図７】ロック機構のロック動作を説明するための概略正面図であり、図７の（ａ）は、加圧部材を開いている状態を示し、図７の（ｂ）は、加圧部材を閉じていく途中の状態を示し、図７の（ｃ）は、加圧部材を閉じた状態を示す。
【図８】従来技術を示す斜視図である。
【図９】従来技術の断面図である。
【符号の説明】
１…ハウジング、　２…接触端子、　３…加圧部材、　４…コネクタ取付端子、　５…ロック機構、　１０…挿入口、　１１…開口部、　１３…下壁、　１５…側壁、　１５ａ…前面、　１６…軸受孔、　２０…下アーム部、　２１…上アーム部、　２２…接触突起部、　３０…側面、　３１…軸、　４０…タブ部、　４１…起立部、　５０…爪部、　５５…係止片部、　５５ａ…前端部、　Ｆ…フレクシブル基板、　Ｐ１…爪部の中心、　Ｐ２…接触突起部の頂点。
【図１】
2004071313.tif 000003
【図２】
2004071313.tif 000004
【図３】
2004071313.tif 000005
【図４】
2004071313.tif 000006
【図５】
2004071313.tif 000007
【図６】
2004071313.tif 000008
【図７】
2004071313.tif 000009
【図８】
2004071313.tif 000010
【図９】
2004071313.tif 000011